Podtech/llm-jp-corpus-v4-ja_patent huggingface dataset:
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
トレッドが下記を含むエラストマー組成物を含むことを特徴とするタイヤ：
・10〜60phrのポリブタジエン(BR)エラストマー；
・10〜60phrの飽和熱可塑性スチレン(TPS)エラストマー；
・補強用充填剤。
【請求項２】
BR含有量が、20phrと55phrの間の量である、請求項１記載のタイヤ。
【請求項３】
飽和TPSエラストマーの含有量が、15phrと55phrの間の量である、請求項１および２のいずれか１項記載のタイヤ。
【請求項４】
前記飽和TPSエラストマーが、スチレンブロックとアルキレンブロックを含む、請求項１〜３のいずれか１項記載のタイヤ。
【請求項５】
前記アルキレンブロックが、エチレン、プロピレンまたはブチレンブロックである、請求項４記載のタイヤ。
【請求項６】
前記飽和TPSエラストマーが、スチレン/エチレン/ブチレン(SEB)、スチレン/エチレン/プロピレン(SEP)、スチレン/エチレン/エチレン/プロピレン(SEEP)、スチレン/エチレン/ブチレン/スチレン(SEBS)、スチレン/エチレン/プロピレン/スチレン(SEPS)、スチレン/エチレン/エチレン/プロピレン/スチレン(SEEPS)の各ブロックコポリマー、およびこれらのコポリマーのブレンドによって形成される群から選ばれる、請求項５記載のタイヤ。
【請求項７】
前記飽和TPSエラストマーが、スチレン/エチレン/ブチレン(SEBS)、スチレン/エチレン/エチレン/プロピレン/スチレン(SEEPS)、スチレン/エチレン/プロピレン/スチレン(SEPS)の各ブロックコポリマー、およびこれらのコポリマーのブレンドによって形成される群から選ばれる、請求項６記載のタイヤ。
【請求項８】
前記エラストマー組成物が、スチレン/ブタジエンコポリマー(SBR)、天然ゴム(NR)、合成ポリイソプレン(IR)、イソプレン/スチレンコポリマー(SIR)、イソプレン/ブタジエンコポリマー(BIR)、スチレン/ブタジエン/イソプレンターポリマー(SBIR)、およびこれらのエラストマーのブレンドによって形成される群から選ばれる第２のジエンエラストマーも含む、請求項１〜７のいずれか１項記載のタイヤ。
【請求項９】
前記第２ジエンエラストマーの含有量が、0phrと80phrの間の量である、請求項８記載のタイヤ。
【請求項１０】
前記第２ジエンエラストマーの含有量が、5〜60phrの範囲内である、請求項９記載のタイヤ。
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
少なくとも０．０２％ｗ／ｗのベルベリンまたはベルベリンの生物学的に等価な類似体を含み、前記ベルベリンの生物学的に等価な類似体は、ジャトロリジン、パルマチン、コプチシン、９−デメチルベルベリン、９−デメチルパルマチン、１３−ヒドロキシベルベリン、ベルベルビン、パルマトルビン、９−Ｏ−エチルベルベルビン、９−Ｏ−エチル−１３−エチルベルベルビン、１３−メチルジヒドロベルベリンＮ−メチル塩、テトラヒドロプロトベルベリン類およびそれらのＮ−メチル塩、１３−ヘキシルベルベリン、１３−ヘキシルパルマチン、および９−ラウロリルベルベルビンクロリドからなる群から選択され、ベルベリンまたはその生物学的に等価な類似体が唯一の薬学的活性成分であることを特徴とする、赤面に関連する皮膚疾患を治療するための局所用薬剤組成物。
【請求項２】
赤面に関連する皮膚疾患が、酒さであることを特徴とする請求項１に記載の局所用薬剤組成物。
【請求項３】
ベルベリンまたはその生物学的に等価な類似体の濃度が０．１％ｗ／ｗと２％ｗ／ｗとの間であることを特徴とする請求項１に記載の局所用薬剤組成物。
【手続補正２】
【補正対象書類名】明細書
【補正対象項目名】００４９
【補正方法】変更
【補正の内容】
【００４９】
本発明者らの研究の結果は、０．１％より高い濃度の精製されたベルベリンまたは０．０２％より高い濃度の精製されたパルマチンを含有する本発明の局所用薬剤配合物が、酒さおよび赤面に関連する疾患（ざ瘡、接触皮膚炎、脂漏性皮膚炎、および光線皮膚炎、ステロイドに誘起される酒さ様皮膚炎、およびＥＧＦＲ阻害剤に誘起されるざ瘡皮膚炎のようなもの）の治療において有効であり、安全であり、かつ十分に許容可能であることを示した。
以下に、本発明の好ましい態様を示す。
［１］  少なくとも０．０２％ｗ／ｗのベルベリンまたはその生物学的に等価な類似体を含むことを特徴とする、赤面に関連する皮膚疾患を治療するための局所用薬剤組成物。
［２］  ベルベリンまたはその生物学的に等価な類似体が主要な薬学的活性成分であることを特徴とする［１］に記載の局所用薬剤組成物。
［３］  ベルベリンまたはその生物学的に等価な類似体が唯一の薬学的活性成分であることを特徴とする［１］に記載の局所用薬剤組成物。
［４］  赤面に関連する皮膚疾患が、酒さ、尋常性ざ瘡、脂漏性皮膚炎、光線皮膚炎、接触皮膚炎、ステロイドに誘起される酒さ様の皮膚炎、およびＥＧＦＲ阻害剤に誘起されるざ瘡皮膚炎からなる群から選択されることを特徴とする［１］に記載の局所用薬剤組成物。
［５］  赤面に関連する皮膚疾患が、酒さであることを特徴とする［４］に記載の局所用薬剤組成物。
［６］  ベルベリンまたはその生物学的に等価な類似体の濃度が約０．１％ｗ／ｗと約２％ｗ／ｗとの間であることを特徴とする［１］に記載の局所用薬剤組成物。
［７］  水、エタノールおよびジメチルスルホキシド（ＤＭＳＯ）からなる群から選択される溶媒をさらに含むことを特徴とする［１］に記載の局所用薬剤組成物。
［８］  可溶化剤、乳化剤、潤滑剤、および水和剤からなる群から選択される１つまたは複数の成分をさらに含むことを特徴とする［１］に記載の局所用薬剤組成物。
［９］  グリセロール、ヒアルロン酸および／または植物抽出物をさらに含むことを特徴とする［８］に記載の局所用薬剤組成物。
［１０］  ざ瘡および／または酒さを治療するための１つまたは複数の剤をさらに含むことを特徴とする［１］に記載の局所用薬剤組成物。
［１１］  ざ瘡および／または酒さを治療するための剤は、抗生剤または抗菌剤であることを特徴とする［１０］に記載の局所用薬剤組成物。
［１２］  ざ瘡および／または酒さを治療するための剤は、アゼライン酸、レチノイド、メトロニダゾル、過酸化ベンゾイル、スルファセタミドナトリウム、および硫黄からなる群から選択されることを特徴とする［１０］に記載の局所用薬剤組成物。
［１３］  溶液、ローション、ゲル、クリーム、軟膏またはスプレーの形態にあることを特徴とする［１］に記載の局所用薬剤組成物。
［１４］  ベルベリンの生物学的に等価な類似体は、ジャトロリジン、パルマチン、コプチシン、９−デメチルベルベリン、９−デメチルパルマチン、１３−ヒドロキシベルベリン、ベルベルビン、パルマトルビン、９−Ｏ−エチルベルベルビン、９−Ｏ−エチル−１３−エチルベルベルビン、１３−メチルジヒドロベルベリンＮ−メチル塩、テトラヒドロプロトベルベリン類およびそれらのＮ−メチル塩、１３−ヘキシルベルベリン、１３−ヘキシルパルマチン、および９−ラウロリルベルベルビンクロリドからなる群から選択されることを特徴とする［１］に記載の局所用薬剤組成物。
［１５］  ベルベリンの生物学的に等価な類似体は、パルマチンまたはコプチシンであることを特徴とする［１４］に記載の局所用薬剤組成物。
［１６］  感染した皮膚に対して薬学的に有効な量の薬剤組成物を局所的に塗布する工程を含み、該薬剤組成物は、ベルベリンまたはその生物学的に等価な類似体を含むことを特徴とする、赤面に関連する皮膚疾患を治療する方法。
［１７］  赤面に関連する皮膚疾患が、酒さ、尋常性ざ瘡、脂漏性皮膚炎、光線皮膚炎、接触皮膚炎、ステロイドに誘起される酒さ様の皮膚炎、およびＥＧＦＲ阻害剤に誘起されるざ瘡皮膚炎からなる群から選択されることを特徴とする［１６］に記載の方法。
［１８］  赤面に関連する皮膚疾患が、酒さであることを特徴とする［１７］に記載の方法。
［１９］  該薬剤組成物が、少なくとも０．０２％ｗ／ｗのベルベリンまたはその生物学的に等価な類似体を含むことを特徴とする［１６］に記載の方法。
［２０］  該薬剤組成物が、約０．１％ｗ／ｗと約２％ｗ／ｗとの間のベルベリンまたはその生物学的に等価な類似体を含むことを特徴とする［１６］に記載の方法。
［２１］  ベルベリンの生物学的に等価な類似体は、ジャトロリジン、パルマチン、コプチシン、９−デメチルベルベリン、９−デメチルパルマチン、１３−ヒドロキシベルベリン、ベルベルビン、パルマトルビン、９−Ｏ−エチルベルベルビン、９−Ｏ−エチル−１３−エチルベルベルビン、１３−メチルジヒドロベルベリンＮ−メチル塩、テトラヒドロプロトベルベリン類およびそれらのＮ−メチル塩、１３−ヘキシルベルベリン、１３−ヘキシルパルマチン、および９−ラウロリルベルベルビンクロリドからなる群から選択されることを特徴とする［１６］に記載の方法。
［２２］  ベルベリンの生物学的に等価な類似体は、パルマチン、またはコプチシンであることを特徴とする［２１］に記載の方法。
【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
哺乳類以外の発現系において、非天然の可溶性形態で発現するタンパク質の精製方法であって、
（ａ）  前記タンパク質が非天然の可溶性形態で発現する哺乳類以外の細胞を溶解させて、細胞溶解物を作製することと、
（ｂ）  前記タンパク質が分離マトリクスと会合するのに適した条件下で、前記細胞溶解物を前記分離マトリクスと接触させることと、
（ｃ）  前記分離マトリクスを洗浄することと、
（ｄ）  前記タンパク質を前記分離マトリクスから溶出することと
を含み、ここで、前記分離マトリクスは、プロテインＡ、プロテインＧ、および合成模倣親和性樹脂からなる群から選択される親和性樹脂である、方法。
【請求項２】
前記タンパク質は、複合タンパク質である、請求項１に記載の方法。
【請求項３】
前記複合タンパク質は、多量体タンパク質、抗体、およびＦｃ融合タンパク質からなる群から選択される、請求項２に記載の方法。
【請求項４】
前記哺乳類以外の発現系は、細菌または酵母細胞を含む、請求項１に記載の方法。
【請求項５】
前記細胞溶解物は、前記分離マトリクスと接触させられる前に濾過される、請求項１に記載の方法。
【請求項６】
溶出した後に、前記タンパク質をその天然形態にリフォールディングすることをさらに含む、請求項１に記載の方法。
【請求項７】
哺乳類以外の発現系において、非天然の限定的可溶性形態で発現するタンパク質の精製方法であって、
（ａ）  哺乳類以外の細胞において、非天然の限定的可溶性形態のタンパク質を発現させることと、
（ｂ）  哺乳類以外の細胞を溶解することと、
（ｃ）
（ｉ）      変性剤、
（ｉｉ）    還元剤、および
（ｉｉｉ）  界面活性剤、のうちの１つ以上を含む可溶化溶液に前記発現させたタンパク質を可溶化することと、
（ｄ）  前記可溶化溶液と、リフォールディング緩衝液と、を含むリフォールディング溶液を作製することであって、前記リフォールディング緩衝液は、
（ｉ）      変性剤、
（ｉｉ）    凝集抑制剤、
（ｉｉｉ）  タンパク質安定剤、および
（ｉｖ）    酸化還元成分、のうちの１つ以上を含む、リフォールディング溶液を作製することと、
（ｅ）  前記タンパク質が分離マトリクスと会合するのに適した条件で、前記リフォールディング溶液を前記マトリクスに適用することと、
（ｆ）  前記分離マトリクスを洗浄することと、
（ｇ）  前記タンパク質を前記分離マトリクスから溶出することと
を含み、ここで、前記分離マトリクスは、イオン交換樹脂、混合方式樹脂、および疎水性相互作用樹脂からなる群から選択される非親和性樹脂である、方法。
【請求項８】
前記非天然の限定的可溶性形態は、封入体の成分である、請求項７に記載の方法。
【請求項９】
前記タンパク質は、複合タンパク質である、請求項７に記載の方法。
【請求項１０】
前記複合タンパク質は、多量体タンパク質、抗体、ペプチボディ、およびＦｃ融合タンパク質からなる群から選択される、請求項７に記載の方法。
【請求項１１】
前記哺乳類以外の発現系は、細菌または酵母細胞である、請求項７に記載の方法。
【請求項１２】
前記可溶化溶液またはリフォールディング溶液の前記変性剤は、尿素、グアニジウム塩、ジメチル尿素、メチル尿素、およびエチル尿素のうちの１つ以上を含む、請求項７に記載の方法。
【請求項１３】
前記還元剤は、システイン、ジチオトレイトール（ＤＴＴ）、β−メルカプトエタノール、およびグルタチオンのうちの１つ以上を含む、請求項７に記載の方法。
【請求項１４】
前記界面活性剤は、サルコシルおよびドデシル硫酸ナトリウムのうちの１つ以上を含む、請求項７に記載の方法。
【請求項１５】
前記凝集抑制剤は、アルギニン、プロリン、ポリエチレングリコール、非イオン性界面活性剤、イオン性界面活性剤、多価アルコール、グリセロール、スクロース、ソルビトール、グルコース、トリス、硫酸ナトリウム、硫酸カリウム、および浸透圧調節物質からなる群から選択される、請求項７に記載の方法。
【請求項１６】
前記タンパク質安定剤は、アルギニン、プロリン、ポリエチレングリコール、非イオン性界面活性剤、イオン性界面活性剤、多価アルコール、グリセロール、スクロース、ソルビトール、グルコース、トリス、硫酸ナトリウム、硫酸カリウム、および浸透圧調節物質のうちの１つ以上を含む、請求項７に記載の方法。
【請求項１７】
前記酸化還元成分は、還元型グルタチオン、酸化型グルタチオン、システイン、シスチン、システアミン、シスタミン、およびβ−メルカプトエタノールのうちの１つ以上を含む、請求項７に記載の方法。
【請求項１８】
（ａ）前記分離マトリクスを再生試薬で洗浄するステップ
をさらに含む、請求項１または７に記載の方法。
【請求項１９】
前記再生試薬は、強塩基または強酸のうちの１つである、請求項１８に記載の方法。
【請求項２０】
前記強酸はリン酸である、請求項１９に記載の方法。
【請求項２１】
前記強塩基は水酸化ナトリウムである、請求項１９に記載の方法。
【請求項２２】
前記再生することは、４〜６Ｍの濃度で存在するカオトロープおよび還元剤のうちの１つ、または双方を含む溶液で、前記分離マトリクスを洗浄することを含む、請求項１８に記載の方法。
【請求項２３】
前記カオトロープは、尿素、ジメチル尿素、メチル尿素、エチル尿素、およびグアニジウムのうちの１つである、請求項２２に記載の方法。
【請求項２４】
前記還元剤は、システイン、ジチオトレイトール（ＤＴＴ）、β−メルカプトエタノール、およびグルタチオンのうちの１つである、請求項２２に記載の方法。
【請求項２５】
前記再生することは、ｐＨ７．４で、５０ｍＭのトリス、１０ｍＭのクエン酸塩、６Ｍの尿素、５０ｍＭのジチオトレイトール（ＤＴＴ）を含む溶液で、前記分離マトリクスを洗浄することを含む、請求項１８に記載の方法。
【手続補正書】
【提出日】平成25年6月12日(2013.6.12)
【手続補正１】
【補正対象書類名】特許請求の範囲
【補正対象項目名】全文
【補正方法】変更
【補正の内容】
【特許請求の範囲】
【請求項１】
対象者に治療用メタロプロテアーゼ投与の準備をさせる方法であって、
治療用メタロプロテアーゼの投与の前、投与と同時、または投与の直後の補充期間中に、治療用メタロプロテアーゼの活性に必要とされる金属イオンの利用能を保証する少なくとも１種の補給剤の投与を指示することを含み、
前記指示された補給剤の投与は、投与される治療用メタロプロテアーゼに対する乏しいまたは限られた応答性の原因としての前記金属イオンの機能的欠乏を排除するのに十分なレベルにある前記必要とされる金属イオンの利用能を提供する、方法。
【請求項２】
前記治療用メタロプロテアーゼはクロストリジウム神経毒素である、請求項１に記載の方法。
【請求項３】
前記補給剤は１日あたり１０〜４００ｍｇの量の元素亜鉛を提供する形態にある亜鉛を含む、請求項１に記載の方法。
【請求項４】
前記補給剤は、亜鉛タンパク化合物、有機分子を備えた亜鉛キレート化合物および塩のうちの少なくとも一方、並びに亜鉛アミノ酸複合体のうちの１つ以上から選択される有機亜鉛形態を含む、請求項３に記載の方法。
【請求項５】
前記補給剤は１日あたり１０〜４００ｍｇの元素亜鉛を送達する、請求項３に記載の方法。
【請求項６】
前記補給剤は１日あたり３０〜５０ｍｇの元素亜鉛を送達する、請求項３に記載の方法。
【請求項７】
前記少なくとも１種の補給剤の投与は、前記少なくとも１種の補給剤の経口摂取を含む、請求項１に記載の方法。
【請求項８】
前記少なくとも１種の補給剤の投与は、以下のリポソーム懸濁液またはナノ送達システムを含む任意の形態の局所投与、静脈内投与、筋内投与、舌下投与、鼻内噴霧、点眼剤、浣腸剤、「強制空気」、経皮的投与、または直腸投与のうちの１つ以上を含む、請求項１に記載の方法。
【請求項９】
対象者は、補充期間中にフィチン酸塩の摂取を制限するようにさらに指示される、請求項１に記載の方法。
【請求項１０】
前記指示された投与は、少なくとも１種のフィターゼ含有補給剤の経口摂取を含む、請求項１に記載の方法。
【請求項１１】
前記フィターゼ含有補給剤は、１日あたり０．８〜１０，０００単位のレベルで消費されるように指示される、請求項１０に記載の方法。
【請求項１２】
前記フィターゼ含有補給剤は、１日あたり４０〜３，０００単位のレベルで消費されるように指示される、請求項１０に記載の方法。
【請求項１３】
前記フィターゼ含有補給剤は、微量の付加的な亜鉛補給と共に、または付加的な亜鉛補給なしで、摂取されるように指示される、請求項１０に記載の方法。
【請求項１４】
前記少なくとも１種の補給剤の指示された投与は、少なくとも１種のフィターゼ補給剤の経口摂取の指示と、少なくとも１種の亜鉛補給剤の投与の指示とを含み、前記少なくとも１種の補給剤の投与は、投与される治療用メタロプロテアーゼに対する乏しいまたは限られた応答性の原因としての金属イオンの機能的欠乏を排除するのに十分なレベルにおいて指示される、請求項１に記載の方法。
【請求項１５】
カプセルまたは錠剤の形態にある一定量の金属イオン補給剤であって、前記補給剤は、治療用メタロプロテアーゼの活性に必要とされると判断された少なくとも１種の金属イオンを含有し、前記補給剤は、患者の治療用メタロプロテアーゼによる治療の直前の補充期間中に前記金属イオンを１日あたりに供給するのに十分な量で提供される、補給剤と、
前記金属イオン補給剤をとり、かつフィチン酸塩の摂取を低減するように患者に指示する使用説明書とを含む、処置前治療用メタロプロテアーゼ準備パック。
【請求項１６】
粉末、液体、液体−ゲル、カプセル、または錠剤の形態にある一定量のフィターゼ補給剤をさらに含有し、前記フィターゼ補給剤は、補充期間の間中に前記金属イオン補給剤と共に投与されるのに十分な量で提供される、請求項１５に記載の処置前治療用メタロプロテアーゼ準備パック。
【請求項１７】
前記治療用メタロプロテアーゼはクロストリジウム神経毒素である、請求項１５および１６のいずれか１項に記載の処置前治療用メタロプロテアーゼ準備パック。
【請求項１８】
前記金属イオン補給剤は、有機形態または無機形態の亜鉛を、患者のクロストリジウム神経毒素による治療の直前の補充期間中に、１日あたり１０〜４００ｍｇの元素亜鉛を供給するのに十分な用量で含む、請求項１５に記載の処置前治療用メタロプロテアーゼ準備パック。
【請求項１９】
前記補充期間は、患者の治療用メタロプロテアーゼによる治療の直前の少なくとも４日間である、請求項１５乃至１８のいずれか１項に記載の処置前準備パック。
【請求項２０】
前記補充期間は、患者の治療用メタロプロテアーゼによる治療の直前の４日間未満である、請求項１５乃至１８のいずれか１項に記載の処置前準備パック。
【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
一般式（Ｉ）：
【化１】
2012531472.tif 000001
［式中、
（１）Ｒ１は７〜９個の炭素原子を含有する直鎖アルキル基であり、Ｒ２は９〜１０個の炭素原子を含有する直鎖アルキル基である、または
（２）Ｒ１は８〜９個の炭素原子を含有する直鎖アルキル基であり、Ｒ２は８個の炭素原子を含有する直鎖アルキル基である、または
（３）Ｒ１は７〜９個の炭素原子を含有する直鎖アルキル基であり、Ｒ２は７個の炭素原子を含有する直鎖アルキル基である、または
（４）Ｒ１は７または８個の炭素原子を含有するアルキル基であり、Ｒ２は９個の炭素原子を含有するアルキル基であって、Ｒ１が直鎖アルキル基であるならばＲ２は分岐アルキル基であり、Ｒ１が分岐アルキル基であるならばＲ２は直鎖アルキル基である、または
（５）Ｒ１は８個の炭素原子を含有するアルキル基であり、Ｒ２は８個の炭素原子を含有するアルキル基であって、Ｒ１が直鎖アルキル基であるならばＲ２は分岐アルキル基であり、Ｒ１が分岐アルキル基であるならばＲ２は直鎖アルキル基である。］
で示されるエステル、或いはｎ−オクチルイソオクタノエート、ｎ−デシルイソオクタノエート、ｎ−デシルイソノナノエート、イソノニル ｎ−デカノエート、ｎ−ヘプチル ｎ−ドデカノエート、イソノニルイソオクタノエート。
【請求項２】
Ｒ１および／またはＲ２が飽和アルキル基である、請求項１に記載のエステル。
【請求項３】
ｎ−ノニル ｎ−オクタノエート、ｎ−ノニル ｎ−ノナノエート、ｎ−ノニル ｎ−デカノエート、ｎ−デシル ｎ−オクタノエート、ｎ−デシル ｎ−ノナノエート、ｎ−デシル ｎ−デカノエートからなる群から選択される、請求項１または２に記載のエステル。
【請求項４】
ｎ−オクチル ｎ−ノナノエートおよびｎ−オクチル ｎ−デカノエートからなる群から選択される、請求項１または２に記載のエステル。
【請求項５】
ｎ−ヘプチル ｎ−オクタノエート、ｎ−ヘプチル ｎ−ノナノエート、ｎ−ヘプチル ｎ−デカノエートからなる群から選択される、請求項１または２に記載のエステル。
【請求項６】
ｎ−ノニルイソオクタノエート、イソノニル ｎ−オクタノエート、ｎ−ノニルイソノナノエート、イソノニル ｎ−ノナノエートからなる群から選択される、請求項１または２に記載のエステル。
【請求項７】
ｎ−オクチルイソノナノエートおよびイソオクチル ｎ−ノナノエートからなる群から選択される、請求項１または２に記載のエステル。
【請求項８】
化粧用製剤および／または医薬用製剤の製造のための、または化粧用製剤および／または医薬用製剤における、請求項１〜６のいずれかに記載のエステルの使用。
【請求項９】
油体および／または溶解促進剤としての請求項８に記載の使用。
【請求項１０】
請求項１〜７のいずれかに記載のエステルを０．１〜９５重量％含んでなる、化粧用製剤および／または医薬用製剤。
【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
一般式（Ｉ）：
【化１】
2012531471.tif 000001
［式中、Ｒ１は７〜９個の炭素原子を含有するアルキル基であり、Ｒ２は８〜１０個の炭素原子を含有するアルキル基である。］
で示されるエステルの混合物であって、Ｒ１が９個の炭素原子を含有するアルキル基である一般式（Ｉ）で示されるエステルを、式（Ｉ）で示されるエステルの総量に基づいて５〜６０重量％含んでなり、および／またはＲ２が１０個の炭素原子を含有するアルキル基である一般式（Ｉ）で示されるエステルを、式（Ｉ）で示されるエステルの総量に基づいて５〜６０重量％含んでなるエステル混合物。
【請求項２】
Ｒ１が９個の炭素原子を含有するアルキル基である一般式（Ｉ）で示されるエステルを、式（Ｉ）で示されるエステルの総量に基づいて５〜２０重量％含んでなる、請求項１に記載のエステル混合物。
【請求項３】
Ｒ２が１０個の炭素原子を含有するアルキル基である一般式（Ｉ）で示されるエステルを、式（Ｉ）で示されるエステルの総量に基づいて５〜２０重量％含んでなる、請求項１または２に記載のエステル混合物。
【請求項４】
Ｒ１および／またはＲ２が直鎖および／または不飽和アルキル基である、請求項１〜３のいずれかに記載のエステル混合物。
【請求項５】
分岐エステルの量が、式（Ｉ）で示されるエステルの総量に基づいて５０重量％以下である、請求項１〜４のいずれかに記載のエステル混合物。
【請求項６】
一般式（Ｉ）：
【化２】
2012531471.tif 000002
［式中、Ｒ１は７〜９個の炭素原子を含有するアルキル基であり、Ｒ２は８〜１０個の炭素原子を含有するアルキル基である。］
で示されるエステル混合物の製造方法であって、得られるエステル混合物が、Ｒ１が９個の炭素原子を含有するアルキル基である一般式（Ｉ）で示されるエステルを、式（Ｉ）で示されるエステルの総量に基づいて５〜６０重量％含有するような比、および／または混合物が、Ｒ２が１０個の炭素原子を含有するアルキル基である一般式（Ｉ）で示されるエステルを、式（Ｉ）で示されるエステルの総量に基づいて５〜６０重量％含有するような比で、炭素酸または炭素酸混合物：
【化３】
2012531471.tif 000003
［式中、Ｒ１は７〜９個の炭素原子を含有するアルキル基である。］
をアルコールまたはアルコール混合物：
【化４】
2012531471.tif 000004
［式中、Ｒ２は８〜１０個の炭素原子を含有するアルキル基である。］
と反応させる方法。
【請求項７】
エステル交換触媒の存在下での、一般式（Ｉ）：
【化５】
2012531471.tif 000005
［式中、Ｒ１は７〜９個の炭素原子を含有するアルキル基であり、Ｒ２は８〜１０個の炭素原子を含有するアルキル基である。］
で示されるエステル混合物の製造方法であって、得られるエステル混合物が、Ｒ１が９個の炭素原子を含有するアルキル基である一般式（Ｉ）で示されるエステルを、式（Ｉ）で示されるエステルの総量に基づいて５〜６０重量％含有するような比、および／または混合物が、Ｒ２が１０個の炭素原子を含有するアルキル基である一般式（Ｉ）で示されるエステルを、式（Ｉ）で示されるエステルの総量に基づいて５〜６０重量％含有するような比で、炭素酸メチルエステルまたは炭素酸メチルエステル混合物：
【化６】
2012531471.tif 000006
［式中、Ｒ１は７〜９個の炭素原子を含有するアルキル基である。］
をアルコールまたはアルコール混合物：
【化７】
2012531471.tif 000007
［式中、Ｒ２は８〜１０個の炭素原子を含有するアルキル基である。］
と反応させる方法。
【請求項８】
一般式（Ｉ）：
【化８】
2012531471.tif 000008
［式中、Ｒ１は７〜９個の炭素原子を含有するアルキル基であり、Ｒ２は８〜１０個の炭素原子を含有するアルキル基である。］
で示されるエステルの混合物を０．１〜９５重量％含んでなる化粧用組成物および／または医薬用組成物であって、混合物が、Ｒ１が９個の炭素原子を含有するアルキル基である一般式（Ｉ）で示されるエステルを、式（Ｉ）で示されるエステルの総量に基づいて５〜６０重量％含んでなり、および／または混合物が、Ｒ２が１０個の炭素原子を含有するアルキル基である一般式（Ｉ）で示されるエステルを、式（Ｉ）で示されるエステルの総量に基づいて５〜６０重量％含んでなる組成物。
【請求項９】
請求項１〜５のいずれかに記載のエステル混合物の、化粧用組成物および／または医薬用組成物の製造のための、或いは化粧用組成物および／または医薬用組成物における使用。
【請求項１０】
油成分および／または可溶化剤としての、請求項９に記載の使用。
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
ＭＴＢＥの分解によるイソブテンの製造法であって、その際、次の工程：
ａ）ＭＴＢＥ合成；イソブテン含有炭化水素混合物（ＩＩ）を、１つ以上のメタノール含有流（ＶＩＩＩ、ＩＸ）中に含まれたメタノール（ＩＩＩ）と、酸性イオン交換体を用いて反応させて、ＭＴＢＥ及びＴＢＡを含有する流（ＩＶ）を取得する工程、
ｂ）ＭＴＢＥ分離；流（ＩＶ）から、ＭＴＢＥ及びＴＢＡを含有する流（Ｖ）を蒸留分離する工程、
ｃ）ＭＴＢＥ分解；流（Ｖ）を、不均一系触媒を用いて気相中で分解して、少なくともイソブテン、メタノール、ＭＴＢＥ及び水及び場合によりＴＢＡを含有する流（ＶＩ）を取得する工程、
ｄ）イソブテン分離；流（ＶＩ）を蒸留分離して、流（ＶＩ）中に含まれた、それぞれ５０質量％より多いメタノール量、ＴＢＡ量及び水量を含有する流（ＶＩＩ）、並びにイソブテンを含有する流（ＸＶＩＩ）を取得する工程、
ｅ）水分離；流（ＶＩＩ）から水を、１質量％を下回る割合に蒸留分離して、流（ＶＩＩＩ）を取得する工程、
ｆ）返送；メタノール含有流（ＶＩＩＩ）をＭＴＢＥ合成に完全に又は部分的に返送する工程
を経る、ＭＴＢＥの分解によるイソブテンの製造方法。
【請求項２】
流（ＶＩＩ）からの前記水分離を２つの塔内で実施し、その際、第１の塔を、より低い圧力で運転し、且つその塔底生成物を、より高い圧力で運転される第２の塔内で更に精製することを特徴とする、請求項１記載の方法。
【請求項３】
前記第１の塔を、少なくとも部分的に、前記第２の塔の蒸気により加熱することを特徴とする、請求項１又は２記載の方法。
【請求項４】
前記第２の塔内で、付加的に水−メタノール混合物を蒸留することを特徴とする、請求項１から３までのいずれか１項記載の方法。
【請求項５】
前記流（Ｖ）に、水又は水蒸気を添加することを特徴とする、請求項１から４までのいずれか１項に記載の方法。
【請求項６】
前記イソブテン分離及び／又は前記水分離に際してアルカリ液流を添加することを特徴とする、請求項１から５までのいずれか１項に記載の方法。
【請求項７】
前記アルカリ液添加用に、アルカリ金属水酸化物又はアルカリ土類金属水酸化物の水溶液を使用することを特徴とする、請求項６記載の方法。
【請求項８】
前記アルカリ液を、前記水分離に際して、分離される水と一緒に除去することを特徴とする、請求項１から７までのいずれか１項記載の方法。
【請求項９】
前記イソブテン分離に際して１つ又は２つの蒸留塔を使用し、且つ前記塔の供給流中への若しくは前記第１の塔の供給流中への前記アルカリ液の添加を行うことを特徴とする、請求項１から８までのいずれか１項記載の方法。
【請求項１０】
前記イソブテン分離に際して１つ又は２つの蒸留塔を使用し、且つ前記塔内への若しくは前記第１の塔内への前記アルカリ液の添加を、前記供給流の添加部より下方で行うことを特徴とする、請求項１から９までのいずれか１項に記載の方法。
【請求項１１】
前記水分離に際して１つ又は２つの蒸留塔を使用し、且つ前記塔の供給流中への若しくは前記第１の塔の供給流中への前記アルカリ液の配量を行うことを特徴とする、請求項１から１０までのいずれか１項に記載の方法。
【請求項１２】
前記水分離に際して１つ又は２つの蒸留塔を使用し、且つ前記塔内への若しくは前記第１の塔内への前記アルカリ液の添加を、前記供給流の添加部より下方で行うことを特徴とする、請求項１から１１までのいずれか１項に記載の方法。
【請求項１３】
反応器搬出物を移送する前記塔を、反応器より低い圧力で運転することを特徴とする、請求項１から１２までのいずれか１項に記載の方法。
【請求項１４】
反応器搬出物の冷却及び部分的な凝縮からの熱を、プロセス内部で熱的統合のために利用することを特徴とする、請求項１から１３までのいずれか１項に記載の方法。
【手続補正書】
【提出日】平成25年6月21日(2013.6.21)
【手続補正１】
【補正対象書類名】特許請求の範囲
【補正対象項目名】全文
【補正方法】変更
【補正の内容】
【特許請求の範囲】
【請求項１】
被験者の認知疾患、障害または病態の治療、症状緩和、軽減、改善および予防に使用するための、ピリドキシンまたはその誘導体である少なくとも１個の正に帯電した残基と、少なくとも１個のカルボキシル化した５〜７員のラクタム環であって、場合によっては更に置換されているものとを含んでなる塩付加物を含んでなる組成物。
【請求項２】
健康な被験者の認知機能の改善に使用するための、ピリドキシンまたはその誘導体である少なくとも１個の正に帯電した残基と、少なくとも１個のカルボキシル化した５〜７員のラクタム環であって、場合によっては更に置換されているものとを含んでなる塩付加物を含んでなる組成物。
【請求項３】
正に帯電した残基が、式（Ｉ）
【化１】
2012531402.tif 000001
（前記式中、
Ｒ１は、直鎖状または分岐状のＣ１−Ｃ６アルキルであり、
Ｒ２は、−ＯＨ、直鎖状または分岐状のＣ１−Ｃ６アルコキシ、および直鎖状または分岐状のＣ１−Ｃ６アルコキシカルボニルから選択され、
Ｒ３およびＲ４は、それぞれ独立してホルミル、直鎖状または分岐状のＣ１−Ｃ６アルキルであって、場合によっては少なくとも１個のハロゲン、アミン、ヒドロキシ、Ｃ１−Ｃ６アルコキシ、チオールおよびＣ１−Ｃ６アルコキシカルボニルによって置換されたものから選択される）
の化合物である、請求項１または２に記載の組成物。
【請求項４】
カルボキシル化したラクタム環が、
【化２】
2012531402.tif 000002
（前記式中、
Ｒ６は、Ｈ、直鎖状または分岐状のＣ１−Ｃ６アルキルであって場合によっては少なくとも１個のハロゲンによって置換されたもの、直鎖状または分岐状のＣ２−Ｃ６アルケニル、直鎖状または分岐状のＣ２−Ｃ６アルキニル、シクロアルキル、アリールおよびヘテロアリールであって、場合によってはＣ１−Ｃ６アルキルによって置換されたものから選択され、
Ｒ７、Ｒ８、Ｒ９、Ｒ１０、Ｒ１１、Ｒ１２、Ｒ１３およびＲ１４は、それぞれ独立してＨ、直鎖状または分岐状のＣ１−Ｃ６アルキル、Ｃ２−Ｃ６アルケニル、Ｃ２−Ｃ６アルキニル、シクロアルキル、アリールおよびヘテロアリールであって、場合によってはＣ１−Ｃ６アルキル、ハロゲン、アミノ、シアノ、ニトロ、チオール、Ｃ１−Ｃ６アルコキシアミノカルボニル、Ｃ１−Ｃ６アルコキシカルボニル、Ｃ１−Ｃ６カルボキシアルキル、Ｃ１−Ｃ６アルコキシカルボニルアルキルおよびアミジノから選択される少なくとも１個の基によって置換されたものから選択される）
からなる群から選択される、請求項１〜３のいずれか一項に記載の組成物。
【請求項５】
塩付加物が下記：
【化３】
2012531402.tif 000003
2012531402.tif 000004
2012531402.tif 000005
から選択される、請求項１〜４のいずれか一項に記載の組成物。
【請求項６】
認知疾患、障害または病態が、注意欠陥／多動性障害（ＡＤＨＤ／ＡＤＤ）、記憶障害（健忘症）、覚醒障害、精神疲労状態、交代勤務睡眠障害、ナルコレプシー、閉塞性睡眠時無呼吸／呼吸低下症候群、集中力不足、および集中不足（ｐｏｏｒ  ｆｏｃｕｓ）またはそれらの任意の組み合わせから選択される、請求項１に記載の組成物。
【請求項７】
認知疾患、障害または病態が、学習障害、記憶障害、認知機能障害、アルツハイマー病を含む認知機能変化、または尿毒症性および肝性脳障害を含む任意の種類の脳障害から選択される、請求項１に記載の組成物。
【請求項８】
認知疾患、障害または病態が神経行動学的疾患、障害または病態である、請求項１に記載の組成物。
【請求項９】
神経行動学的疾患、障害または病態が、注意欠陥多動性障害（ＡＤＨＤ）、注意欠陥障害（ＡＤＤ）、記憶障害、集中力不足、および集中不足（ｐｏｏｒ  ｆｏｃｕｓ）から選択される、請求項８に記載の組成物。
【請求項１０】
認知疾患、障害または病態が、注意欠陥障害（ＡＤＤ）または多動性障害（ＡＤＨＤ／ＡＤＤ）、記憶障害（健忘症）、覚醒障害、精神疲労状態、交代勤務睡眠障害、ナルコレプシー、閉塞性睡眠時無呼吸／呼吸低下症候群、集中力不足、および集中不足またはそれらの任意の組み合わせから選択される、請求項１に記載の組成物。
【請求項１１】
認知機能が、一過性もしくは長期学習障害、一過性もしくは長期記憶障害、一過性もしくは長期認知機能障害、一過性もしくは長期認知機能変化、一過性もしくは長期集中力障害、一過性もしくは長期集中障害、一過性もしくは長期覚醒障害、一過性もしくは長期気疲れ状態、一過性もしくは長期交代勤務睡眠障害、またはそれらの任意の組み合わせから選択される、請求項２に記載の組成物。
【請求項１２】
被験者が小児、青年、成人、または高齢者である、請求項１〜１１のいずれか一項に記載の組成物。
【請求項１３】
塩付加物が、持続、遅延または制御放出投薬形態で処方される、請求項１〜１２のいずれか一項に記載の組成物。
【請求項１４】
塩付加物が、即時またはバースト効果投薬形態で処方された塩付加物と組合せた持続、遅延または制御放出投薬形態で処方される、請求項１〜１３のいずれか一項に記載の組成物。
【請求項１５】
塩付加物が、単回用量またはその一部で、塩付加物を０．１〜１０００ｍｇ／ｋｇ体重／日、好ましくは塩付加物を１〜４００ｍｇ／ｋｇ体重まで送達するように処方される、請求項１〜１４のいずれか一項に記載の組成物。
【請求項１６】
塩付加物が、少なくとも１種類の追加の薬学活性剤と共に処方される、請求項１〜１５のいずれか一項に記載の組成物。
【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
ＮＳＡＩＤ関連潰瘍の発生率を低下させるため、ＮＳＡＩＤ関連胸焼けの発生率を低下させるため、又はＮＳＡＩＤ関連ディスペプシアの発生率を低下させるために、そうした症状を発症するリスクのある患者において、使用する医薬を製造するための、エソメプラゾール及びナプロキセンの使用であって、
ここで前記医薬は、経口投与に適した単位投与剤形の医薬組成物であって、該医薬組成物が、
（ａ）１つ又は複数の前記単位投与剤形の投与によって少なくとも３.５に前記患者の胃のｐＨを上昇させるのに十分な形態の、２０ｍｇのエソメプラゾール、又はその製薬学的に許容される塩、及び
（ｂ）３７５ｍｇ又は５００ｍｇのナプロキセン、又はその製薬学的に許容される塩を含んでなり；
ここで、前記単位投与剤形は
（ｉ）前記エソメプラゾール、又はその製薬学的に許容される塩の少なくとも一部分は、腸溶性コーティングでコートされておらず、そして周囲媒体のｐＨとは無関係に放出され；そして
（ii）ナプロキセン、又はその製薬学的に許容される塩は、周囲媒体のｐＨが３.５以上であるまで、前記単位投与剤形から放出されないように；
エソメプラゾールとナプロキセンの調整放出を供給するものである、
上記使用。
【請求項２】
前記患者が長期的なＮＳＡＩＤ処置を必要とする、請求項１に記載の使用。
【請求項３】
前記患者が、骨関節炎、関節リウマチ、強直性脊椎炎、及びその併有のような、疼痛及び炎症から選択される疾患又は障害を有する、請求項１に記載の使用。
【請求項４】
前記医薬組成物が、前記患者が胃十二指腸潰瘍、胃潰瘍又は十二指腸潰瘍を発症するリスクを低下させる、請求項１に記載の使用。
【請求項５】
単位投与剤形の前記医薬組成物は、少なくとも１つのコアと、少なくとも１つの、第一の層と第二の層を含んでなる多層錠であって、
（ａ）前記コアは、ナプロキセン、又はその製薬学的に許容される塩を含んでなり；
（ｂ）前記第一の層は、周囲媒体のｐＨが３７℃で約３.５以上にあると、ナプロキセン、又はその製薬学的に許容される塩を少なくとも放出し始める、３.５未満のｐＨで、３７℃で、水溶性媒体中で実質的に不溶性のコーティングであり；そして
（ｃ）前記第二の層は、エソメプラゾール、又はその製薬学的に許容される塩を含んでなり、前記エソメプラゾール、又はその製薬学的に許容される塩は、約０以上のｐＨで放出される、
請求項１に記載の使用。
【請求項６】
前記エソメプラゾール、又はその製薬学的に許容される塩が、約０〜約２のｐＨで放出される、請求項５に記載の使用。
【請求項７】
前記エソメプラゾール、又はその製薬学的に許容される塩が、腸溶性コーティングでコートされていない、請求項５又は６に記載の使用。
【請求項８】
前記第一の層が、腸溶性コーティングである、請求項５に記載の使用。
【請求項９】
前記多層錠が、重炭酸ナトリウムを少なくとも約９５％含んでいない、請求項５に記載の使用。
【請求項１０】
前記第一の層が、周囲媒体のｐＨが約４.０以上であるときに、ナプロキセン、又はその製薬学的に許容される塩を放出し始める、請求項５に記載の使用。
【請求項１１】
ナプロキセン、又はその製薬学的に許容される塩の量が、５００ｍｇである、請求項１又は５に記載の使用。
【請求項１２】
ナプロキセン、又はその製薬学的に許容される塩の量が、３７５ｍｇである、請求項１又は５に記載の使用。
【請求項１３】
該リスクが長期的なＮＳＡＩＤ処置に関連する、請求項１に記載の使用。
【請求項１４】
第二の層が第一の層を包囲しており、
上記において、
（ａ）該第一の層は、１０００ｍｌの０.１Ｎ ＨＣｌ中、３７℃±０.５℃において７５ｒｐｍで米国薬局方パドル・メソッドを用いて試験すると、２時間後に１０％未満のナプロキセン又はその製薬学的に許容される塩を放出するコーティングであり；そして
（ｂ）該第二の層は、エソメプラゾール、又はその製薬学的に許容される塩及び少なくとも１つの賦形剤を含んでなり；
該第二の層は、１０００ｍｌの０.１Ｎ ＨＣｌ中、３７℃±０.５℃において７５ｒｐｍで２時間、米国薬局方パドル・メソッドを用いて試験すると、３０分後に少なくとも９５％溶解する、
請求項５に記載の使用。
【請求項１５】
前記潰瘍が胃潰瘍であり、前記患者の年齢が≧６０であり、そして前記単位投与剤形の前記患者への投与が、腸溶性被覆されたナプロキセン、又はその製薬学的に許容される塩で処置される年齢≧６０の患者と比較して、前記患者の、７０〜１００％の胃潰瘍を発症する相対的リスク減少、そして特に８９.２％の相対的リスク減少をもたらす、請求項１に記載の使用。
【手続補正書】
【提出日】平成25年6月27日(2013.6.27)
【手続補正１】
【補正対象書類名】明細書
【補正対象項目名】０１６５
【補正方法】変更
【補正の内容】
【０１６５】
本発明の更なる観点に従えば、前に記載した医薬製品の使用、前に記載した医薬組成物の使用、抗炎症、鎮痛、抗リウマチ、抗多脂質血症、抗アテローム性動脈硬化症、抗凝集及び抗血栓状態の治療のための医薬の製造のための使用、が提供される。
本発明の更なる観点は、MASA、及びNA、スタチン類、CL及びDIの群から選択される他の医薬を含んでなる組合せ医薬製品が提供される。これらの製品は、MASA自体のために開発された医薬組成物を基礎とすることができる。
本明細書の開示の要約
〔項１〕
４−トリメチルアンモニオブタノエートアセチルサリシレート。
〔項２〕
2H値5.10、13.58、13.83、15.02、15.17、17.89、19.33、19.87、21.85、22.05、23.32、23.56、23.92、24.75、25.55、25.80、27.05、27.91、30.25±0.2°にピークを有するＸ線パターンにより特徴付けられる、項１に記載の４−トリメチルアンモニオブタノエートアセチルサリシレート。
〔項３〕
Ｌ−カルニチンアセチルサリシレート。
〔項４〕
2H値5.09、12.62、13.48、13,84、15.04、17.82、19.15、19.77、21.84、22.56、23.33、23.92、24.40、25.17、25.43、26.14、27.24、29.50、30.36±0.2°にピークを有するＸ線パターンにより特徴付けられる、項３に記載のＬ−カルニチンアセチルサリシレート。
〔項５〕
３−（トリメチルアンモニオアミノ）プロパノエート（メルドニウム）アセチルサリシレート。
〔項６〕
2H値5.19、13.22、13.82、14.20、14.95、15.36、15.93、18.11、18.97、19.74、21.02、22.15、23.15、23.65、24.31、25.28、26.18、26.58、27.73、28.36±0.2°にピークを有するＸ線パターンにより特徴付けられる、項５に記載の３−（トリメチルアンモニオアミノ）プロパノエート（メルドニウム）アセチルサリシレート。
〔項７〕
医薬として使用するための溶媒和物又は多形体である、項５に記載の３−（トリメチルアンモニオアミノ）プロパノエート（メルドニウム）アセチルサリシレート。
〔項８〕
項５に記載の３−（トリメチルアンモニオアミノ）プロパノエート（メルドニウム）アセチルサリシレート及び医薬として許容されるキャリヤーを含んで成る医薬組成物。
〔項９〕
即放出性、持続放出性又は長期放出性の剤形である、項８に記載の医薬組成物。
〔項１０〕
経口投与のための、項８の記載の医薬組成物。
〔項１１〕
項５に記載のメルドニウムアセチルサリシレート又は請求項８に記載の医薬組成物を患者に投与することを含んで成る、炎症、痛み、熱、リウマチ状態、高脂質血症状態、アテローム性動脈硬化症状態、血小板凝集により生ずる症状又は血栓形成により生ずる症状を予防又は治療する方法。
〔項１２〕
炎症、痛み、熱、リウマチ状態、高脂質血症状態、アテローム性動脈硬化症状態、血小板凝集により生ずる疾患又は血栓形成により生ずる疾患を予防又は治療するための医薬の製造における、項５に記載のメルドニウムアセチルサリシレート又は項８に記載の医薬組成物の使用。
〔項１３〕
前記血小板凝集により生ずる症状が、虚血状態、例えば心筋梗塞若しくは発作、血栓症又は血栓塞栓症を含む、項12に記載のメルドニウムアセチルサリシレートの使用。
〔項１４〕
血小板凝集により生ずる疾患の予防又は治療のための、項５に記載のメルドニウムアセチルサリシレートの有効量及びジピリダモルの有効量を含んで成る組合せ医薬品。
〔項１５〕
血小板凝集により生ずる疾患の予防又は治療のための、項５に記載のメルドニウムアセチルサリシレートの有効量及びクロピドグレル又はその医薬として許容される塩の有効量を含んで成る組合せ医薬品。
〔項１６〕
前記血小板凝集により生ずる疾患が、虚血状態、例えば心筋梗塞若しくは発作、血栓症若しくは血栓塞栓症、急性冠症候群、突然心臓死、及び冠アンギオパシー若しくは冠動脈バイパス後の合併症を含む、項15に記載の組合せ医薬品の使用。
〔項１７〕
項５に記載のメルドニウムアセチルサリシレートの有効量及びニコチン酸又はその医薬として許容される塩の有効量を含んで成る、末梢血管拡張（皮膚充血）の副作用の低下を伴う組合せ医薬品。
〔項１８〕
前記ニコチン酸又はその医薬として許容される塩が、即放出性、持続放出性又は長期放出性の形態である、項17に記載の医薬品。
〔項１９〕
前記メルドニウムアセチルサリシレートが、即放出性、持続放出性又は長期放出性の形態である、項17に記載の医薬品。
〔項２０〕
血小板凝集により生ずる症状の予防又は治療のための、項17に記載の組合せ医薬品の使用。
〔項２１〕
前記血小板凝集により生ずる症状が、虚血状態、例えば心筋梗塞若しくは発作、血栓症又は血栓塞栓症を含む、項20に記載の使用。
〔項２２〕
代謝関連障害の予防又は治療のための、項17に記載の組合せ医薬品の使用。
〔項２３〕
前記障害が、低脂質血症、高脂質血症、アテローム性動脈硬化症からなる群から選択される、項22に記載の組合せ医薬品の使用。
〔項２４〕
有効量の項５に記載のメルドニウムアセチルサリシレート並びにアトルバスタチン、セリバスタチン、フルバスタチン、ロバスタチン、メバスタチン、ピタバスタチン、プラバスタチン、ロスバスタチン及びシンバスタチンから成る群から選択されるスタチンを含んで成る組合せ医薬品。
〔項２５〕
低脂質血症、高脂質血症及びアテローム性動脈硬化症からなる群から選択される障害の予防又は治療のための、項24に記載の組合せ医薬品の使用。
【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
（ａ）Ｚ−１，１，１，４，４，４−ヘキサフルオロ−２−ブテン、
（ｂ）トランス−１，２−ジクロロエチレン、および
（ｃ）第３成分
から本質的になる共沸組成物であって、前記トランス−１，２−ジクロロエチレンおよび前記第３成分が、前記Ｚ−１，１，１，４，４，４−ヘキサフルオロ−２−ブテンと共沸配合を形成するのに有効な量で存在する組成物。
【請求項２】
（ａ）Ｚ−１，１，１，４，４，４−ヘキサフルオロ−２−ブテン、
（ｂ）トランス−１，２−ジクロロエチレン、および
（ｃ）第３成分
から本質的になる共沸様組成物であって、前記トランス−１，２−ジクロロエチレンおよび前記第３成分が、前記Ｚ−１，１，１，４，４，４−ヘキサフルオロ−２−ブテンと共沸様配合を形成するのに有効な量で存在する組成物。
【手続補正２】
【補正対象書類名】明細書
【補正対象項目名】００４７
【補正方法】変更
【補正の内容】
【００４７】
実施例５−ＤＭＭ
実施例５は、Ｚ−１，１，１，４，４，４−ヘキサフルオロ−２−ブテン（Ｚ−ＦＯ−１３３６ｍｚｚ）、ジメトキシメタン（ＤＭＭ）およびトランス−１，２−ジクロロエチレン（トランス−１，２−ＤＣＥ）によって形成される共沸様組成物の存在を実証する。温度計を備えたエブリオメータに、２０．０グラムの混合物（７２．１重量％のＺ−１，１，１，４，４，４−ヘキサフルオロ−２−ブテンおよび２７．９重量％のトランス−１，２−ジクロロエチレン）を装入し、次にジメトキシメタンを測定増量して加えた。約１４．７ｐｓｉａで、得られた三元混合物の沸点温度を測定し、記録した（表５を参照されたい）。約３５〜約９９重量パーセントのジメトキシメタンで、得られた三元混合物の沸点は約２℃未満だけ変化した。本組成物はそれ故に、この範囲にわたって共沸混合物様特性を示した。
本発明は以下の実施の態様を含むものである。
１．（ａ）Ｚ−１，１，１，４，４，４−ヘキサフルオロ−２−ブテン、
（ｂ）トランス−１，２−ジクロロエチレン、および
（ｃ）第３成分
から本質的になる共沸組成物であって、前記トランス−１，２−ジクロロエチレンおよび前記第３成分が、前記Ｚ−１，１，１，４，４，４−ヘキサフルオロ−２−ブテンと共沸配合を形成するのに有効な量で存在する組成物。
２．前記組成物の前記第３成分が、シクロペンタン、メタノール、またはパーフルオロエチルイソプロピルケトンである、前記１．に記載の組成物。
３．（ｉ）前記第３成分がシクロペンタンであり、約１４．７ｐｓｉａの圧力で約２９℃の沸点を有する、
（ｉ）前記第３成分がパーフルオロエチルイソプロピルケトンであり、約１４．７ｐｓｉａの圧力で約３０℃の沸点を有する、または
（ｉｉｉ）前記第３成分がメタノールであり、約１４．７ｐｓｉａの圧力で約２９℃の沸点を有する、
前記２．に記載の共沸組成物。
４．（ａ）Ｚ−１，１，１，４，４，４−ヘキサフルオロ−２−ブテン、
（ｂ）トランス−１，２−ジクロロエチレン、および
（ｃ）第３成分
から本質的になる共沸様組成物であって、前記トランス−１，２−ジクロロエチレンおよび前記第３成分が、前記Ｚ−１，１，１，４，４，４−ヘキサフルオロ−２−ブテンと共沸様配合を形成するのに有効な量で存在する組成物。
５．前記第３成分が、シクロペンタン、メタノール、ジメトキシメタン、ギ酸メチルまたはパーフルオロエチルイソプロピルケトンである、前記３．記載の共沸様組成物。
６．第３成分が、
（ｉ）約２〜約５３重量パーセントのシクロペンタンであり、前記Ｚ−１，１，１，４，４，４−ヘキサフルオロ−２−ブテンが約３４〜約７０重量パーセントであり、前記トランス−１，２−ジクロロエチレンが約１３〜約２７重量パーセントである、
（ｉｉ）約１７〜約６４重量パーセントのギ酸メチルであり、前記Ｚ−１，１，１，４，４，４−ヘキサフルオロ−２−ブテンが約１８〜約６０重量パーセントであり、前記トランス−１，２−ジクロロエチレンが約１８〜約２３重量パーセントである、
（ｉｉｉ）約１〜約１６重量パーセントのメタノールであり、前記Ｚ−１，１，１，４，４，４−ヘキサフルオロ−２−ブテンが約６０〜約７２重量パーセントであり、前記トランス−１，２−ジクロロエチレンが約２３〜約２８重量パーセントである、
（ｉｖ）約１〜約５０重量パーセントのパーフルオロエチルイソプロピルケトンであり、前記Ｚ−１，１，１，４，４，４−ヘキサフルオロ−２−ブテンが約３６〜約７２重量パーセントであり、前記トランス−１，２−ジクロロエチレンが約１４〜約２８重量パーセントである、または
（ｖ）約３５〜約９９重量パーセントのジメトキシメタンであり、前記Ｚ−１，１，１，４，４，４−ヘキサフルオロ−２−ブテンが約１〜約４７重量パーセントであり、前記トランス−１，２−ジクロロエチレンが約１〜約１８重量パーセントである
前記５．に記載の共沸様組成物。
７．エアゾール噴射剤、冷媒、溶媒、クリーニング剤、熱可塑性または熱硬化性発泡体用の発泡体膨張剤、熱媒、ガス状誘電体、消火剤および鎮火剤、動力サイクル作動流体、重合媒体、微粒子除去流体、キャリア流体、バフ研磨剤、または置換乾燥剤である、前記４．に記載の共沸様組成物。
８．エアゾール噴射剤、冷媒、溶媒、クリーニング剤、熱可塑性または熱硬化性発泡体用の発泡体膨張剤、熱媒、ガス状誘電体、消火剤および鎮火剤、動力サイクル作動流体、重合媒体、微粒子除去流体、キャリア流体、バフ研磨剤、または置換乾燥剤である、前記１．に記載の共沸組成物。